(57)【特許請求の範囲】
【請求項１】
ＩＣカードを電話機のカード挿入口に挿入し、ＩＣカードの端子と電話機のコンタクトピンとを接触させて利用する、ＩＣカード利用システムにおける電話機であって、ＩＣカードを電話機のカード挿入口から電話機内部へ搬送する第一の送りローラと、ＩＣカードを、ＩＣカードの端子と電話機のコンタクトピンとが接触できる最終ポジションまで搬送する第二の送りローラとを有し、ＩＣカードをカード挿入口から挿入して使用する際、ＩＣカードが第二の送りローラに到達し、第一の送りローラから離れ、最終ポジションまで搬送を開始した後、第一の送りローラを、カード挿入させるための回転方向とは逆の方向に回転させ、規定時間当たりの回転数を検知し、検知された規定時間当たりの回転数が規定値内であるときのみ、ＩＣカードを前記最終ポジションまで搬送し、コンタクトピンをＩＣカードの端子に接触させ、通信を行うことを特徴とする電話機。
【発明の詳細な説明】
【０００１】
【産業上の利用分野】
本発明は，ＩＣカードシステムにおける不正使用に関し、詳しくは、外部への電気信号漏洩や外部からの不正な信号の入力を防止できる電話機（リーダライタ）に関する。
【０００２】
【従来の技術】
ＩＣカードは新しい情報記録媒体として、特に磁気カードに代わる情報記録媒体として注目を集めており次第に普及しつつある。
ＩＣカードは小型のカードにメモリ及び電極などを一体化したＩＣモジュールが搭載されたものであり、従来より、電話機にＩＣカードを挿入して利用するＩＣカードシステムにおけるＩＣプリペイドカード等として使用されている。
ＩＣカードを用いて電話機を利用するＩＣカードシステムは、ユーザが必要に応じてＩＣプリペイドカードを購入し、公衆電話機にカードをセットし電話をかけるもので、リーダライタ（Ｒ／Ｗ）である公衆電話機は電気信号によりＩＣカードのメモリ内の度数を読み出し、残度数に応じて通話の継続切断を制御している。
しかし、図２に示すように、ＩＣカードの端子に不正配線を接続し、ＩＣブレッドボード（評価ボード）のようなものを用いても、使用できてしまうという問題があった。
これに対応する為、従来、このシステムの場合、カードの端子部に不正配線を接続させて電気信号を外部に読み出す電気信号の漏洩を防ぐ目的で、不正配線を検知するための蓋を電話機（リーダライタ）の入口に設ける方法が採られていた。
【０００３】
【発明が解決しようとする課題】
しかし、この従来の方法では、公衆電話機には蓋の開閉のための可動部が必要となり、故障が発生しやすいという問題や、蓋を壊すことによって容易に不正なカードの挿入が可能となってしまう問題があった。
また、ＩＣカードからの不正配線自体がきわめて薄い場合には、防ぐことができない等の問題もあった。
本発明は、このような状況のもと、簡単な構造で故障を発生させず、且つ、外部への電気信号漏洩や外部からの不正電気信号の入力を防止できる電話機（リーダライタ）を提供しようとするものである。
【０００４】
【課題を解決するための手段】
本発明の電話機は、ＩＣカードを電話機のカード挿入口に挿入し、ＩＣカードの端子と電話機のコンタクトピンとを接触させて利用する、ＩＣカード利用システムにおける電話機であって、ＩＣカードを電話機のカード挿入口から電話機内部へ搬送する第一の送りローラと、ＩＣカードを、ＩＣカードの端子と電話機のコンタクトピンとが接触（コンタクト）できる最終ポジションまで搬送する第二の送りローラとを有し、ＩＣカードをカード挿入口から挿入して使用する際、ＩＣカードが第二の送りローラに到達し、第一の送りローラから離れ、最終ポジションまで搬送を開始した後、第一の送りローラを、カード挿入させるための回転方向とは逆の方向に回転させ、規定時間当たりの回転数を検知し、検知された規定時間当たりの回転数が規定値内であるときのみ、ＩＣカードを前記最終ポジションまで搬送し、コンタクトピンをＩＣカードの端子に接触（コンタクト）させ、通信を行うことを特徴とするものである。
【０００５】
【作用】
本発明の電話機は、上記のように、ＩＣカードをカード挿入口から挿入して使用する際、ＩＣカードが第二の送りローラに到達し、第一の送りローラから離れ、最終ポジションまで搬送を開始した後、第一の送りローラを、カード挿入させるための回転方向とは逆の方向に回転させ、規定時間当たりの回転数を検知し、検知された規定時間当たりの回転数が規定値内であるときのみ、ＩＣカードを前記最終ポジションまで搬送し、コンタクトピンをＩＣカードの端子に接触（コンタクト）させ、通信を行うことにより、不正配線のない正規のＩＣカードを利用した場合には通信でき、且つ、不正配線をつけた不正ＩＣカードを使用した場合には不正配線を検知して不正ＩＣカードの使用を防止することができるものとしている。
詳しくは、第一の送りローラの、カード挿入させるための回転方向とは逆の方向の回転数が、回転時に不正配線による負荷がかかる場合と、負荷がかからない無い場合とで異なることを利用することにより、不正配線の有無を検知するもので、これにより、不正者による外部への電気信号漏洩や不正信号の入力を防止できるものとしている。即ち、ＩＣカードの端子に不正配線を接続したＩＣブレッドボード（評価ボード）のようなものの使用を全くできないものとしている。
【０００６】
【実施例】
本発明の電話機の実施例を挙げ、図にもとづいて説明する。
図１は実施例電話機の要部構成の概略横断面図で、図１中、１００は公衆電話機、１０１は第一の送りローラ、１０１Ａ、１０１Ｂはローラ、１０２は第二の送りローラ、１０２Ａ、１０２Ｂはローラ、１０３は回転数検出部、１０４はコンタクト、１０５はコンタクトピン、１０６はカード挿入口、１１０はＩＣカードである。
図１に示す本実施例の公衆電話機１００は、ＩＣカード１１０を公衆電話機１００のカード挿入口１０６から挿入した後、ＩＣカード１１０の端子部と公衆電話機１００のコンタクト１０４の端子ピン１０５とを接触させて使用するＩＣカード利用の電話機システムの電話機であるが、ＩＣカードを電話機のカード挿入口に挿入して利用する際、その都度、ＩＣカードに不正配線が接続されているか否かの検知をおこなう電話機である。
【０００７】
以下、図１にもとづいて、不正配線の有無を検知する動作について説明する。図１（ａ）はＩＣカード１１０をカード挿入口１０６から挿入した際の図でＩＣカード１１０が第一の送りローラ１０１のみにより搬送されている図を示し、図１（ｂ）はＩＣカード１１０が第二の送りローラ１０２に到達し、第一の送りローラ１０１から離れ、最終ポジションまで搬送を開始した後、第一の送りローラ１０１を、ＩＣカード１１０を挿入させるための回転方向とは逆の方向に回転させている状態を示す図である。
ＩＣカードを電話機のカード挿入口に挿入して利用する際、図１（ａ）に示すように、先ず、ＩＣカード１１０は第一の送りローラ１０１により搬送され、図１（ｂ）に示すように、第二の送りローラ１０２へ達し、第一の送りローラ１０１から離れ、第二の送りローラ１０２のみで搬送が開始される。
この際、第一の送りローラ１０１を、カード挿入の際の回転方向と逆の方向の回転で、且つ、回転数をローラ１０１Ａ、１０１Ｂ間に何も介在しない場合の所定の回転数（Ｎ回転／分）に設定する。
挿入されたＩＣカートが正規のカードであれば、ローラ１０１Ａ、１０１Ｂ間には何も介在しないので所定の回転数（Ｎ回転／分）が回転数検出部１０３により検出されるが、挿入されたＩＣカートが不正配線を有するものであれば、ローラ１０１Ａ、１０１Ｂ間に不正配線が介在することとなり、不正配線による負荷が第一の送りローラ１０１にかかり、回転数検出部１０３により検出される回転数は、不正配線がない正規のＩＣカードの場合に比べ低いＭ回転／分（Ｍ＜Ｎ）となる。
ここで予め、回転数検出部１０３により検出される回転数ｎを、Ｎ−α≦ｎ≦Ｎ＋β（０≦α、０≦β）の場合は、ＩＣカード１１０をＩＣカードの端子と電話機のコンタクトピンとが接触（コンタクト）できる最終ポジションまで搬送させ、通信を可能とし、それ以外の場合は最終ポジションまで搬送させない、ないし通信をさせないように設定しておく。α、βは不正配線の有無が判別できるように適当にきめる。
不正配線がある場合には、Ｍ＜Ｎ−αとなり、不正ＩＣカードは、ＩＣカードの端子と電話機のコンタクトピンとが接触（コンタクト）できる最終ポジションまで搬送されないか、搬送されてもコンタクトピンとの接触（コンタクト）できない。
【０００８】
本実施例における第一の送りローラ１０１、第二の送りローラ１０２は、ともに、ＩＣカード１１０を両面側から挾み、ローラの回転力によりＩＣカード１１０を搬送するものであり、ＩＣカードが無い場合にはローラ１０１Ａ、１０１Ｂ及びローラ１０２Ａ、１０２Ｂが接するようになっている。
尚、本実施例においては、第一の送りローラ１０１の回転数を検出するようにしてあるが、第一の送りローラ１０１とは別の一対のローラ（図示していない）を別に設けて回転数を検出しても良い。
【０００９】
【発明の効果】
本発明は、上記のように、電話機の第一の送りローラの回転数を検出することにより、ＩＣカードの不正配線の有無を検知することができるもので、これにより、外部への電気信号漏洩や外部からの不正電気信号の入力を防止可能としている。
【図面の簡単な説明】
【図１】実施例の電話機の概略図
【図２】不正配線を有するＩＣカードの例を示す図
【符号の説明】
１００                      公衆電話機
１０１                      第一の送りローラ
１０１Ａ、１０１Ｂ          ローラ
１０２                      第二の送りローラ
１０２Ａ、１０２Ｂ          ローラ
１０３                      回転数検出部
１０４                      コンタクト
１０５                      コンタクトピン
１０６                      カード挿入口
１１０                      ＩＣカード
【図１】
0003776473.tif 000002
【図２】
0003776473.tif 000003